(57)【要約】【課題】本発明は、吊りカム装置に関し、カムスライダーの落下防止装置を低コストで、その取付けも簡易にできるようにすることが課題である。【解決手段】加工用の工具を備えるカムスライダーが、カムホルダーの吊持手段により吊り下げて且つ加工方向に移動自在に支持され、固定金型に固定されているカムドライバーに下部スライダー面が当接して加工方向に移動する吊りカム装置において、前記カムホルダー２には、前記吊持手段の他に、前記カムスライダー３の上部において前記加工方向に沿って設けられる貫通孔３ｄに遊嵌されるとともに、前記カムスライダー３の上部で加工方向に沿った前後に間隙を有して存在する当該カムホルダー２の両側壁２ａ，２ｂの一方の側壁に固定されて片持ち支持された棒状の落下防止手段５が設けられている吊りカム装置１とするものである。【選択図】図１
2008272771.tif 000002
【特許請求の範囲】
【請求項１】
加工用の工具を備えるカムスライダーが、移動金型に固定したカムホルダーの吊持手段により吊り下げられ且つ加工方向に移動自在に支持されるとともに、固定金型に固定されているカムドライバーに下部スライダー面が当接して加工方向に移動する吊りカム装置において、
前記カムホルダーには、前記吊持手段の他に、前記カムスライダーの上部において前記加工方向に沿って設けられる貫通孔に遊嵌されるとともに、前記カムスライダーの上部で加工方向に沿った前後に間隙を有して存在する当該カムホルダーの両側壁の一方の側壁に固定されて片持ち支持された棒状の落下防止手段が設けられていること、
を特徴とする吊りカム装置。
【請求項２】
カムホルダーの両側壁における他方の側壁には、棒状の落下防止手段の先端部が挿入して遊嵌される凹部が設けられていること、
を特徴とする請求項１に記載の吊りカム装置。
【発明の詳細な説明】
【技術分野】
【０００１】
本発明は、例えば、自動車等のパネルを加工するカム装置であって、加工用の工具を備えるカムスライダーを、移動金型に固定したカムホルダー（カムベース）により吊り下げ支持される吊りカム装置に関するものである。
【背景技術】
【０００２】
従来、吊りカム装置２０においては、図４乃至図５に示すように、移動金型２１ａに固定されるカムホルダー２２によって、カムスライダー２３を摺動自在に支持する構造は、前記カムホルダー２２の両側壁２２ａに、前記カムスライダー２３の顎部２３ａを挟装するサイドプレート２４及びアッパープレート２５をそれぞれ設けて、当該カムスライダー２３を工具の移動方向ａに移動できるように摺動自在に吊持している。
【０００３】
前記カムスライダー２３は、移動金型２１ａの上下方向の移動によりカムホルダー２２を介して吊持され移動し、固定金型２１ｂに固定されたカムドライバー２６の傾斜面２６ａに沿って往復移動するものである。このカムスライダー２３の前壁面２３ａに工具が取り付けられるものである。
【０００４】
前記カムスライダー２３は、図４に示す下死点位置の状態から上死点に移動するには、カムホルダー２２に取り付けられた戻しバネ２７の付勢力により戻されるものである。そして、このカムスライダー２３の落下防止手段２８は、前記サイドプレート２４及びアッパープレート２５による吊持構造が外れることが有った場合に、直ちに落下して作業者等に被害が及ばないようにするものであり、例えば、鍔部２９ａを有する所定長さのセーフティピン２９及びボルト３０でもって、そのボルト３０のネジ部をカムスライダー２３上面に螺着して固定し、カムホルダー２２の長孔２２ｂを貫通して上面に前記鍔部２９ａを突出させている。
【０００５】
前記鍔部２９ａの下面と、カムホルダー２２の上面とには、図６（Ａ）に示すように、間隙ｂを設けておき、万が一、カムスライダー２３が落下したときには、前記ボルト３０及びセーフィテイピン２９により、前記鍔部２９ａがカムホルダー２２の上面に当接して引っかかり、それ以上の落下を防止するものである。
【０００６】
更に、図６（Ｂ）に示すように、カムホルダー２２の側壁２２ａの下面に、ハンガーリテーナ３１を植設して固定しておく。そのハンガーリテーナ３１の鍔部３１ａでもって、前記アッパープレート２５の下面との間に間隙ｃを設けておき、当該アッパープレート２５が外れて落下したときに、前記鍔３１ａで引っ掛けて前記アッパープレート２５及びサイドプレート２４を介してカムスライダー２３の落下を防止するものである。
【０００７】
このほか、特許文献１に示すように、カムホルダーの両側壁間において、カムスライダーの上部に設けた貫通孔を貫通し、各端部が前壁部と後壁部の夫々に固定されたロッドを設けることで、落下防止機構としているものが知られている。
【特許文献１】特開２０００−１５８０６３号公報
【発明の開示】
【発明が解決しようとする課題】
【０００８】
しかし、従来の落下防止装置においては、部品点数が多くてコストが嵩み、取付方法においても、ロッドを孔に差し込んだり、下方向からボルトをネジ締めしたりと取付作業がやりにくいという課題がある。本発明に係る吊りカム装置は、このような課題を解決するために提案されたものである。
【課題を解決するための手段】
【０００９】
本発明に係る吊りカム装置の上記課題を解決して目的を達成するための要旨は、加工用の工具を備えるカムスライダーが、移動金型に固定したカムホルダーの吊持手段により吊り下げられ且つ加工方向に移動自在に支持されるとともに、固定金型に固定されているカムドライバーに下部スライダー面が当接して加工方向に移動する吊りカム装置において、前記カムホルダーには、前記吊持手段の他に、前記カムスライダーの上部において前記加工方向に沿って設けられる貫通孔に遊嵌されるとともに、前記カムスライダーの上部で加工方向に沿った前後に間隙を有して存在する当該カムホルダーの両側壁の一方の側壁に固定されて片持ち支持された棒状の落下防止手段が設けられていることである。
【００１０】
また、前記カムホルダーの両側壁における他方の側壁には、棒状の落下防止手段の先端部が挿入して遊嵌される凹部が設けられていること、を含むものである。
【発明の効果】
【００１１】
本発明の吊りカム装置によれば、カムホルダーにおける加工方向における前側壁若しくは後側壁の片側に、棒状の落下防止手段をねじ止めなどの方法により固定するだけで良く、手間がかからない。前記棒状の落下防止手段は、カムホルダーの前側壁と後側壁との間にほぼ水平状態にして片持ち支持されるので、従来のように、下から上にボルト締めして固定する方法に比べて、作業がやりやすく容易である。
【発明を実施するための最良の形態】
【００１２】
本発明に係る吊りカム装置１について説明する。なお、従来例に対応する部分には、従来例と同一の符号を付けて説明する。図１に示すように、先端の工具取付面３ａ加工用の工具を備えるカムスライダー３が、移動金型２１ａに固定したカムホルダー２の吊持手段、たとえば、サイドプレート２４及びアッパープレート２５により吊り下げられ、且つ、加工方向ａに移動自在に支持されるとともに、固定金型２１ｂに固定されているカムドライバー４に下部スライダー面３ｂが当接して加工方向ａに移動する吊りカム装置１である。
【００１３】
前記カムホルダー２には、前記吊持手段（前記サイドプレート２４及びアッパープレート２５）の他に、前記カムスライダー３の上部３ｃにおいて前記加工方向ａに沿って設けられる貫通孔３ｄに遊嵌されるとともに、前記カムスライダー３の上部３ｃで加工方向ａに沿った前後に間隙を有して存在する当該カムホルダー２の両側壁２ａ，２ｂの一方の側壁に固定されて片持ち支持された棒状の落下防止ロッド５手段が設けられている。
【００１４】
前記カムホルダー２の両側壁２ａ，２ｂにおける他方の側壁には、例えば、図２に示すように、前記棒状の落下防止ロッド５の先端部５ａが挿入して遊嵌される凹部２ｃが設けられている。この落下防止ロッド５は、後側壁２ｂ側に凹部２ｄが形成され、その凹部２ｄに雌ねじがタップで切られていて、螺着されるものである。
【００１５】
前記落下防止ロッド５は、前記カムスライダー３の上部３ｃに貫通して設けられた貫通孔３ｄに対して、隙間を有して遊嵌状態で貫通している。また、落下防止ロッド５の先端部５ａの前端面と前記凹部２ｃの底面との間の間隙ｄは、狭くして、当該ロッド５のネジ部の長さよりも短くする。こうすることで、この落下防止ロッド５の螺着固定状態におけるネジ部が緩んでも、前記凹部２ｃの底面に当接して、外れることがない。なお、後側壁２ｂは、カムホルダー２の、加工方向ａに直交する方向にある両側壁２ｅの後端面に横架された状態で、ボルト６，７で固定されるものである。
【００１６】
前記落下防止ロッド５の片持ち支持方法としては、他の実施例として、図３に示すように、前記両側壁２ａ，２ｂの凹部と雌ねじとの関係を逆にして、前側壁２ａに凹部２ｃを形成すると共に雌ねじがタップで切られて、ロッド５のネジ部が底に螺着される。そして、後側壁２ｂには、凹部２ｄが設けられ、前記ロッド５の先端部５ａが遊嵌状態で挿入される。
【００１７】
このような片持ち支持される落下防止ロッド５によって、カムスライダー３の落下を防止するようにしたことで、カムホルダー２における前側壁２ａ若しくは後側壁２ｂへの固定方法が容易となりる。更に、このカムホルダー２の吊持手段である前記サイドプレート２４及びアッパープレート２５に、カムスライダー３の顎部を挿着して取り付ける際にも、先に前記落下防止ロッド５が前側壁２ａに取り付けられていた場合には、前記カムスライダー３の挿着のガイドとなり、当該カムスライダー３を取り付けた後で、後側壁２ｂに前記落下防止ロッド５を固定して貫通孔３ｄに差し込む場合には後側壁２ｂの取付け作業のガイドとなる。
【図面の簡単な説明】
【００１８】
【図１】本発明に係る吊りカム装置１の斜視図（Ａ）と、使用状態における一部を断面にして示す側面図（Ｂ）とである。
【図２】同本発明の吊りカム装置１の一部拡大側面図である。
【図３】同他の実施例に係る一部拡大側面図である。
【図４】従来例に係るカム装置２０の使用状態の側面図である。
【図５】同各装置２０の一部を正面から見た半断面図である。
【図６】同落下防止手段（２９，３０）の構造を示す説明図（Ａ），（Ｂ）である。
【符号の説明】
【００１９】
１          吊りカム装置、
２          カムホルダー、
２ａ        前側壁、                      ２ｂ        後側壁、  
２ｃ        凹部、                        ２ｄ        凹部、
２ｅ        側壁、  
３          カムスライダー、              
３ａ        工具取付面、                  ３ｂ        下部スライダー面、
３ｃ        上部、                        ３ｄ        貫通孔、
４          カムドラバー、
５          落下防止ロッド、
５ａ        先端部、
６、７      ボルト、
２０        従来例のカム装置、
２１ａ      移動金型、                    ２１ｂ      固定金型、
２２        カムホルダー、
２３        カムスライダー、
２４        サイドプレート、
２５        アッパープレート、
２６        カムドライバー、
２７        戻しバネ、
２８        落下防止手段、
２９        セーフティピン、              ２９ａ      鍔部、
３０        ボルト、
３１        ハンガーリテーナ、              ３１ａ    鍔部。
【図１】
2008272771.tif 000003
【図２】
2008272771.tif 000004
【図３】
2008272771.tif 000005
【図４】
2008272771.tif 000006
【図５】
2008272771.tif 000007
【図６】
2008272771.tif 000008